(57)【要約】【課題】重量の異なる種々の戸パネルに対しても、それに応じた適正な係合捕捉力を戸パネルを吊り込んだ状態のままで簡単に付与できるランナキャッチャーを提供する。【解決手段】一対の弾性腕３６・３６のランナ６に対する係合捕捉力を変更調整する捕捉力調整機構を有する。捕捉力調整機構は、弾性腕３６・３６に対して平行状に設けた一対の支持腕３７・３７と、支持腕３７・３７に沿ってスライド変位可能に装着されて、弾性腕３６・３６の拡開状の撓み変形を規制する規制体２６とを含む。支持腕３７・３７に沿って左右方向に規制体２６をスライド操作して、撓み変形可能な弾性腕３６・３６の先端領域の実質寸法長を大小に変化させることにより、弾性腕３６・３６のランナ６に対する係合捕捉力を段階的に変更調整できる。【選択図】図１
2006299671.tif 000002
【特許請求の範囲】
【請求項１】
ガイドレール（１）の側端に固定されて、戸パネル（Ｐ１）に装着のランナ（６）を移行不能に係合捕捉するランナキャッチャーであって、
ガイドレール（１）に固定される基体ブロック（２１）と、基体ブロック（２１）のランナ（６）への対向面側に突出形成されて、ランナ（６）を抱持状に係合捕捉する弾性腕（３６・３６）と、弾性腕（３６・３６）のランナ（６）に対する係合捕捉力を変更調整する捕捉力調整機構とを備えていることを特徴とするランナキャッチャー。
【請求項２】
前記捕捉力調整機構は、一対の弾性腕（３６・３６）に対して平行状に設けられた一対の支持腕（３７・３７）と、支持腕（３７・３７）に沿ってスライド変位可能に装着されて、弾性腕（３６・３６）の拡開状の撓み変形を規制する規制体（２６）とを含み、
支持腕（３７・３７）に沿って規制体（２６）をスライド操作して、弾性腕（３６・３６）の撓み変形可能な先端領域の実質寸法長を大小に変化させることにより、弾性腕（３６・３６）のランナ（６）に対する係合捕捉力を変更調整できるようにしてある請求項１記載のランナキャッチャー。
【請求項３】
支持腕（３７）には、一群の係合体（５０）が弾性腕（３６）の伸び方向に列状に形成されており、
規制体（２６）には、係合体（５０）と係合する係合片（５１）が設けられており、
係合体（５０）に対する係合片（５１）の係合位置を変えることにより、規制体（２６）の支持腕（３７）に対する装着位置を変更して、弾性腕（３６）の係合捕捉力を段階的に変更調整できるようにしてある請求項２記載のランナキャッチャー。
【請求項４】
係合体（５０）が、支持腕（３７）の対向内面に凹み形成された凹部（５０ａ）で構成されており、
規制体（５１）が、支持腕（３７・３７）の間に架設状に装着されるベースプレート（４１）に、ベースプレート（４１）の側縁に設けられて支持腕（３７）側の凹部（５０ａ）と係合する凸部（５１ａ）と、弾性腕（３６）の外側面に接触して該弾性腕（３６）の拡開状の撓み変形を規制する規制片（４３）とを含む請求項３記載のランナキャッチャー。
【発明の詳細な説明】
【技術分野】
【０００１】
本発明は、折り戸や引戸のガイドレールの側端に固定されて、パネルに装着のランナを移行不能に係合捕捉するランナキャッチャーに関する。
【背景技術】
【０００２】
この種のランナキャッチャーには、二又状とした一対の弾性腕でランナ軸や連結体を抱持状に係合捕捉する形態と、片持ち支持した弾性腕でランナのボディやローラを係合捕捉する形態とがある。本発明に係るランナキャッチャーは前者の形態であり、その公知例としては、例えば特許文献１ないし４などを挙げることができる。
【０００３】
【特許文献１】実開平５−７１３８６号公報
【特許文献２】実公平８−６９９８号公報
【特許文献３】特開平１０−３３９０６４号公報
【特許文献４】特開平１１−２２２９１号公報
【発明の開示】
【発明が解決しようとする課題】
【０００４】
各特許文献のランナキャッチャーでは、その係合捕捉力を変更調整できないため、戸パネルの大きさや重量に応じた適切な係合捕捉力を弾性腕に与えることができない。つまり、戸パネルの重量が大きい場合には、僅かな外力が作用しただけで、ランナが弾性腕から抜け出て、不用意に戸パネルが開放されるおそれがある。一方、戸パネルの重量が小さい場合には、大きな外力を要し、開放操作を軽滑に行えない。
【０００５】
上記の問題は、例えば係合捕捉力の異なる種々の仕様のランナキャッチャーを用意しておくことで解決できる。但しこの場合には、ランナキャッチャーの製造コスト高を招き、折り戸や引戸の構築コストが大幅に増加する。何よりも、施行現場において仕様の異なるランナキャッチャーを一つずつガイドレールに装着固定してから、戸パネルを吊り込んでその操作性をテストする必要があり、ランナキャッチャーを付け替える作業の手間が著しく掛かり煩わしい。
【０００６】
本発明の目的は、重量の異なる種々の戸パネルに対しても、それに応じた適正な係合捕捉力を戸パネルを吊り込んだ状態のままで簡単に与えることができ、引戸や折り戸を少ない手間で迅速に構築できるランナキャッチャーを提供することにある。
【課題を解決するための手段】
【０００７】
本発明は図２に示すごとく、ガイドレール１の側端に固定されて、戸パネルＰ１に装着のランナ６を移行不能に係合捕捉するランナキャッチャー２０を対象とする。本発明のランナキャッチャー２０は、図７に示すごとく、ガイドレール１に固定される基体ブロック２１と、基体ブロック２１のランナ６への対向面側に突出形成されて、ランナ６を抱持状に係合捕捉する弾性腕３６・３６と、弾性腕３６・３６のランナ６に対する係合捕捉力を変更調整する捕捉力調整機構とを備える。図示例では、ランナ６に設けた連結体１９を弾性腕３６・３６で係合捕捉する形態を示したが、本発明はこれに限られず、例えばランナ軸１１を係合捕捉する形態としてもよい。
【０００８】
更に具体的に説明すると、捕捉力調整機構としては、一対の弾性腕３６・３６に対して平行状に設けられた一対の支持腕３７・３７と、支持腕３７・３７に沿ってスライド変位可能に装着されて、弾性腕３６・３６の拡開状の撓み変形を規制する規制体２６とを含む。そして、支持腕３７・３７に沿って左右方向に規制体２６をスライド操作して、弾性腕３６・３６の撓み変形可能な先端領域の実質寸法長を大小に変化させることにより、弾性腕３６・３６のランナ６に対する係合捕捉力を変更調整できる。
【０００９】
支持腕３７には、一群の係合体５０を弾性腕３６の伸び方向に列状に形成し、規制体２６には、該係合体５０に係合する係合片５１を設ける。そして、係合体５０に対する係合片５１の係合位置を変えることにより、規制体２６の支持腕に対する装着位置を変更して、弾性腕３６の係合捕捉力を段階的に変更調整できるようにすることができる。
【００１０】
係合体５０は、支持腕３７の対向内面に凹み形成された凹部５０ａで構成されており、規制体５１が、支持腕３７の間に架設状に装着されるベースプレート４１と、ベースプレート４１の側縁に設けられて支持腕３７側の凹部５０ａに係合する凸部５１ａと、弾性腕３６の外側面に接触して該弾性腕３６の拡開状の撓み変形を規制する規制片４３とを備えている。
【発明の効果】
【００１１】
本発明のランナキャッチャー２０は、弾性腕３６・３６の係合捕捉力を自在に調整できる捕捉力調整機構を備えているので、ガイドレール１・２にランナ６を介して戸パネルＰ１を吊り込んだ状態のままで、弾性腕３６・３６のランナ６に対する係合捕捉力を変更調整できる。したがって、重量や大きさの異なる種々の戸パネルＰに対しても、それに応じた適正な係合捕捉力を戸パネルＰ１を吊り込んだ状態のままで、適正かつ簡便に与えることができ、引戸や折り戸を少ない手間で迅速に構築できる。引戸や折り戸の構築コストの削減化にも貢献する。ユーザーの趣向や腕力に応じた適正な係合捕捉力をランナキャッチャー２０に簡便に与えられる点でも優れている。
【００１２】
一対の弾性腕３６・３６に対して平行状に設けられた一対の支持腕３７・３７と、支持腕３７・３７に沿ってスライド変位可能に装着されて、弾性腕３６・３６の撓み変形を規制する規制体２６とで捕捉力調整機構を構成してあると、支持腕３７・３７に沿って規制体２６をスライド操作して、撓み変形可能な弾性腕３６・３６の先端領域の実質寸法長を大小に変化させるだけで、弾性腕３６・３６のランナ６に対する係合捕捉力を変更調整できる。この形態によれば、基体ブロック２１に支持腕３７・３７を設けるとともに、部材としては規制体２６を付加するだけで足りるので、構造の簡略化を図って、捕捉力調整機構を付与したことによるランナキャッチャー２０の製造コストの上昇を抑えることができる。
【００１３】
支持腕３７に係合体５０を列状に形成し、規制体２６に係合体５０と係合する係合片５１を設けて、係合体５０に対する係合片５１の係合位置を変えることにより、規制体２６の支持腕３７に対する装着位置を変更して、弾性腕３６の係合捕捉力を段階的に変更調整できるようにしてあると、係合捕捉力の調整操作を過不足無く容易に行える。
【００１４】
とくに係合体５０を支持腕３７の対向内面に凹み形成された凹部５０ａとし、係合片５１を該凹部５０ａに係合する凸部５１ａとしてあると、規制体２６の装着位置調整が、クリック感をもって過不足なく容易に行える。更に、調整後に戸パネルＰ１の開閉衝撃などを受けても、規制体２６が不用意に位置ズレすることがない。
【発明を実施するための最良の形態】
【００１５】
図１ないし図７は本発明に係るランナキャッチャーをフリー折り戸に適用した実施形態を示す。図２においてフリー折り戸は、２組のパネル対Ｐで構成してあり、開口面の上下に設けた左右方向に走るガイドレール１・２で屈折自在に案内支持されている。
【００１６】
上側のガイドレール１は、図４および図７に示すごとく断面Ｃ字状のアルミニウム条材からなり、下面前後のレール壁１ａ・１ｂ間が下向きに開口している。図２に示すごとく、各パネル対Ｐは、２個の戸パネルＰ１・Ｐ２の隣接縁どうしをヒンジ３で連結してあり、開口中央側の戸パネルＰ２の屈曲縁の近傍に把手５を備える。ヒンジ３は全展開状態を維持できるクリック機構を備えている。各パネル対Ｐの両側の上面および下面には、それぞれガイドレール１・２で走行案内されるランナ６と振れ止めローラ７とが装着されている。
【００１７】
図３および図４においてランナ６は、ガイドレール１で左右方向に走行案内されるランナ本体９と、戸パネルＰ１・Ｐ２の上隅に埋設固定されるランナ台１０と、ランナ本体９とランナ台１０とを連結するランナ軸１１とを含む。ランナ本体９は、プラスチック成形品からなる左右横長の走行ブロック１２と、走行ブロック１２の前後に左右一対ずつ配置した４個のローラ１３と、これらローラ１３を遊転自在に支持するローラ軸１５とを含む。走行ブロック１２の左右中央部に、該ブロック１２を上下方向に貫通する状態でランナ軸１１が組み付けられており、この組み付け状態において走行ブロック１２とランナ軸１１とは自由に相対回転できる。
【００１８】
図１、図３および図５において走行ブロック１２の下面には、後述するランナキャッチャー２０で係合捕捉される連結ブロック１６が設けられている。連結ブロック１６は、左右横長のブロック本体１７と、ブロック本体１７の左右両端から左右方向に膨出形成された平面視で木の葉形の連結体１９とを備えている。なお、開口中央側の戸パネルＰ２を支持するランナ６に限って、連結ブロック１６を省略することができる。
【００１９】
ランナ６をガイドレール１の側端において係合捕捉するために、図２に示すごとく、左右一対のランナキャッチャー２０を上側のガイドレール１の両端に固定配置する。図７においてランナキャッチャー２０は、連結体を係合捕捉する前後一対の弾性腕３６・３６を備えるキャッチャー本体２１と、キャッチャー本体２１をガイドレール１に装着固定するための上下一対の取付プレート２２・２３と、弾性腕３６の撓み変形を規制する規制金具（規制体）２６とを有する。上側の取付プレート２２の中央部の左右２箇所には、ねじ孔２７を形成してあり、図３に示すごとくレール壁１ａ・１ｂとキャッチャー本体２１とを上下方向から挟むように取付プレート２２・２３を配したうえで、２本のビス２９を取付プレート２３およびキャッチャー本体２１に設けた貫通孔３０・３１を介してねじ孔２７にねじ込むことにより、キャッチャー本体２１をガイドレール１に対して遊動不能に装着固定できる。
【００２０】
キャッチャー本体２１は、ポリアセタール等を素材とする自己潤滑性のプラスチック成形品であり、ビス２９用の貫通孔３１・３１を備える基体ブロック３５と、基体ブロック３５の左右側縁から左右方向に突出形成された前後一対の弾性腕３６・３６と、これら弾性腕３６・３６から前後方向に所定間隔を置いて、弾性腕３６・３６と平行状に左右方向に突出形成された前後一対の支持腕３７・３７と、弾性腕３６・３６の間に左右方向に突出形成された１本の規制腕３９とを備えている。キャッチャー本体２１は、弾性腕３６の伸び方向がランナ６側に指向するような姿勢状態で、取付プレート２２・２３によってガイドレール１に固定されている。規制腕３９は、係合捕捉時に連結体１９の基体ブロック３５側への侵入限界を規制し、図７に示すごとく肉厚寸法の大きな枠壁状に形成して、その強度向上を図っている。
【００２１】
弾性腕３６は、図１および図５に示すごとく左右方向に直線状に伸びる常態姿勢と、図６に示すような互いの突出端に係る対向間隔寸法が大きくなる拡開姿勢との間で撓み変形可能であり、常態姿勢から拡開姿勢となることで連結体１９を弾性腕３６の間に受け入れて、これを係合捕捉することができる。弾性腕３６の突出端には、連結体１９と係合する係合壁４０が上向きに立設されている。この係合壁４０の対向内面形状、および規制腕３９の先端形状は、連結体１９の外形状と略一致しており、図１に示すようなキャッチ状態においては、これら規制腕３９と弾性腕３６とで、連結体１９を抱持状に係合捕捉する。
【００２２】
そのうえで本実施形態に係るランナキャッチャー２０においては、弾性腕３６の連結体１９に対する係合捕捉力を変更調整する捕捉力調整機構を有する。この捕捉力調整機構は、支持腕３７に沿ってスライド変位可能に装着されて、弾性腕３６の撓み変形を規制する規制金具２６を調整要素とする。
【００２３】
図７において規制金具２６は、前後方向に走るベースプレート４１と、ベースプレート４１の前後縁に折り曲げ形成された装着片４２と、弾性腕３６の前後の外縁に接する規制片４３とを含む。装着片４２は、ベースプレート４１の前後縁から上方に延びる垂直壁４５と、垂直壁４５の上端から前後の外向きに延びる水平壁４６とを有するＬ字状を呈しており、支持腕３７の対向内面に段付き状に切り欠き形成された上向きの受面４７に水平壁４６が受け止められることで、規制金具２６は支持腕３７に対して脱落不能に装着されている。
【００２４】
符号４３ａは、左右方向に走るようにベースプレート４１から切り上げ形成されて、弾性腕３６の外縁に面接触状に接する第１規制片を示す。符号４３ｂは、第１規制片４３ａよりもランナ６寄りに形成されて、前後方向に走る第２規制片である。これら第１および第２規制片４３ａ・４３ｂが、弾性腕３６の外縁に接することで、弾性腕３６の撓み変形を規制して、連結体１９に対する係合捕捉力を変更できる（図６参照）。つまり、規制金具２６を支持腕３７に装着した状態では、規制片４３による規制位置よりも突出端寄りの部分でのみ、弾性腕３６は撓み変形可能となる。
【００２５】
支持腕３７には、左右方向に向かって一群の係合体５０が列状に形成されており、規制金具２６には係合体５０と係合する係合片５１が設けられている。具体的には、各支持腕３７の弾性腕３６に対する対向内面には、前後の外向きに凹み形成された凹部５０ａが左右方向に列状に形成されている。規制金具２６の装着片４２の垂直壁４５には、凹部５０ａと係合する凸部５１ａが膨出状に張り出し形成されている。支持腕３７に沿って左右方向に規制金具２６をスライド操作して、凹部５０ａに対する凸部５１ａの係合位置を変化させることにより、規制片４３による弾性腕３６に対する規制位置を変更できる。これにて、撓み変形可能な弾性腕３６の先端領域の実質寸法長を大小に変化させて、弾性腕３６のランナ６に対する係合捕捉力を段階的に変更調整できる。本実施形態では、支持腕３７に５個の凹部５０ａを形成してあり、５段階に係合捕捉力を調整できる。
【００２６】
支持腕３７は僅かに撓み変形可能である。これは支持腕３７が全く撓み変形できないと、規制金具２６を左右方向にスライド操作することが非常に困難になること、および支持腕３７の拡開状の撓み変形が極めて容易であると、規制金具２６の支持腕３７に対する係合位置が不用意に変更されるおそれが生じることに拠る。そこで本実施形態では、支持腕３７の中央部に左右方向に長く貫通孔５２を形成することにより、支持腕３７の撓み変形力を適度なものとしてあり、これにて規制金具２６の不用意な位置変位を確実に阻止しながら、クリック感を持って軽滑に規制金具２６のスライド操作を行える。
【００２７】
本発明に係るランナキャッチャーは、折り戸だけでなく、引戸にも適用できる。図示例のランナキャッチャーは、上ガイドレールの側端に装着し、戸パネルの上端に装着のランナを係合捕捉するものとしたが、本発明はこれに限られず、ランナキャッチャーを下ガイドレールの側端に装着して、振れ止めローラ等を係合捕捉する形態としてもよい。上記実施形態では、係合体５０を凹部５０ａとし、係合片５１を凸部５１ａとしていたが、これとは別に係合体５０を各支持腕３７に左右方向に列設された複数個の貫通孔とするとともに、係合片５１を規制金具２６に設けたピンとしてもよい。これによれば、貫通孔にピンを差し込むことで、規制金具２６を支持腕３７に対して遊動不能に装着固定することができる。
【図面の簡単な説明】
【００２８】
【図１】図３のＢ−Ｂ線に沿う横断平面図
【図２】折り戸の正面図
【図３】ランナキャッチャーの縦断面図
【図４】図１のＡ−Ａ線断面図
【図５】ランナキャッチャーの平面図
【図６】ランナキャッチャーの要部の拡大図
【図７】ランナキャッチャーの分解斜視図
【符号の説明】
【００２９】
１  ガイドレール
６  ランナ
２０  ランナキャッチャー
２６  規制体（規制金具）
３５  基体ブロック
３６  弾性腕
３７  支持腕
４１  ベースプレート
４３  規制片
５０  係合体
５０ａ  凹部
５１  係合片
５１ａ  凸部
【図１】
2006299671.tif 000003
【図２】
2006299671.tif 000004
【図３】
2006299671.tif 000005
【図４】
2006299671.tif 000006
【図５】
2006299671.tif 000007
【図６】
2006299671.tif 000008
【図７】
2006299671.tif 000009